(57)【要約】【課題】材質が紙等に限定されるようなことがなくパンツ生地の肌触りを良好にすることができ、また、嵩張らないため服装に乱れなく清楚に着用でき、しかも、尿失禁を起こしても取り替えることなく対応できる尿失禁対策用パンツを提供する。【解決手段】陰部当りに使い捨ての吸水パッドを出し入れ自在に中央前身頃と裏生地との間で保持するポケットを設け、排尿をポケットの裏生地を通して吸収し保水し得るようその裏生地が通気性および通水性を有する肌触り良好で乾きやすい生地であって、中央前身頃または裏生地にポケット口を開口したことを特徴とする。【選択図】    図１
2010029485.tif 000002
【特許請求の範囲】
【請求項１】
陰部当りに使い捨ての吸水パッドを出し入れ自在に中央前身頃と裏生地との間で保持するポケットを設け、排尿をポケットの裏生地を通して吸収し保水し得るようその裏生地が通気性および通水性を有する肌触り良好で乾きやすい生地であって、中央前身頃または裏生地にポケット口を開口したことを特徴とする尿失禁対策用パンツ。
【請求項２】
中央前身頃と二枚重ねに裏生地を逢着により設けるとともに、中央前身頃の高さ中間部に横に裂けるようにポケット口を設けることにより、それより下が吸水パッドが挿入されるポケットとして構成され、また、裏生地については、左右いずれか一方が未逢着にして陰茎の第１出口として構成するとともに、前記ポケット口が第２出口として構成されていることを特徴とする請求項１記載の尿失禁対策用パンツ。
【発明の詳細な説明】
【技術分野】
【０００１】
この発明は、不用意に排尿に及ぶ症状を有する者がその時の備えに着用する尿失禁対策用パンツに関する。
【背景技術】
【０００２】
尿失禁タイプは、腹圧をかけると起こる腹圧性尿失禁、尿が膀胱に入りきらず徐々に溢れ出てくる溢流性尿失禁、尿意が切迫して起こる切迫性尿失禁、精神障害により尿意が反射的に起こる反射性尿失禁等に分けられ、その原因は様々である。不用意に排尿することになるために、本人にとっては他人に気づかうことで人知れず苦労することになる。中高年に多いが、タイプにもよるので、若年層にも決して無縁ではない。
【０００３】
腹圧性尿失禁は、骨盤底筋のゆるみが原因で出産を経験した中高年の女性に多く見られるもので、腹圧を掛けると、例えば、階段の最後にトンと下りたり、クシャミをしただけでチョッピリ漏らしてしまう。また、切迫性尿失禁は、尿が少ししかたまっていないのに、膀胱が勝手に縮んでしまう症状であって、「したい」と思うと我慢ができなくなる。溢流性尿失禁は、尿をしても残尿があるため、じわじわと少量ずつあふれ出るもので、前立腺肥大、糖尿病などが原因で男性に多く見られる。
【発明の開示】
【発明が解決しようとする課題】
【０００４】
従来、主に溢流性尿失禁の一種と見られる老人性の失禁については、紙パンツを着用することでそれに対応していたが、紙パンツの材質であると、肌触りが良くないためストレスがたまりやすく、また、ゴム・樹脂等を材質とし完全防水を謳ったパンツは、内側に吸水材質のものを張り巡らしてあり、これらはいづれも浸透圧により身体の水分がとられるために、皮膚がかさかさになりやすいという欠点があった。そのため、従来の紙パンツやゴム製、樹脂製のパンツでは、ストレスのために精神的にまいってしまい、それで医療費が嵩む大きな原因となっていた。しかし、綿布によるオムツを使用することは余裕の無い現代では非常に難しいばかりか、劣等感も含めて過大なストレスを負うことになる。
【０００５】
しかも、紙パンツであると嵩張って腰当たりが膨出して服装が醜く崩れるので、殊に婦人であると外出には着用できなく、そのためほとんど寝たきり又はそれに近い老人等に利用が限られていた。しかし、尿失禁は、タイプによっては高齢者に限らず若年層にも見られる症状であって、対外的に活動する者にとっては外出のときの対策が是非とも求められる。ちなみに、この点については、従来の場合、排尿後に匂いを出さないためにはパンツを取替える必要があったから、外出のときに非常に不都合で苦労が多かった。
【０００６】
この発明は、上記のような実情に鑑みて、材質が紙等に限定されるようなことがなくパンツ生地の肌触りを良好にすることができ、また、嵩張らないため服装に乱れなく清楚に着用でき、しかも、尿失禁を起こしても取り替えることなく対応できる尿失禁対策用パンツを提供することを課題とした。
【課題を解決するための手段】
【０００７】
上記の課題を解決するために、この発明は、陰部当りに使い捨ての吸水パッドを出し入れ自在に中央前身頃と裏生地との間で保持するポケットを設け、排尿をポケットの裏生地を通して吸収し保水し得るようその裏生地が通気性および通水性を有する肌触り良好で乾きやすい生地であって、中央前身頃または裏生地にポケット口を開口したことを特徴とする尿失禁対策用パンツを提供するものである。
【０００８】
尿失禁対策用パンツを上記のように構成したから、これは普通のパンツと同様に肌触りの良好な様々な生地により縫製して製造するものであり、使用者においては、ポケットに吸水パッドを挿入した状態で着用する。ポケットの内側を構成する裏生地は、通気性および通水性を有するから、外出中に漏らしたときには、これが裏生地を通して吸水パッドに吸着されるが、折りを見て、例えばトイレに入ったときに、パンツ着用のまま新品の吸水パッドと入れ替えることができ、このとき取り出した吸水パッドはトイレの屑かごに廃棄する。なお、「クシャミをしてうっかり」、「笑ってうっかり」という軽い程度のものは、何度かの排尿を一個の吸水パッドで不都合なく吸着できる。また、ファッション性を重要視して、パンツの内側の上部から吸水パッドを出し入れできる深いポケットとすることもできる。
【０００９】
排尿を吸収し保水し得るようその裏生地が通気性および通水性を有する肌触り良好で乾きやすい生地としては、ナイロン、ポリエステル等のメッシュ地を好適なものとして挙げることができる。
【発明の効果】
【００１０】
以上説明したように、この発明の尿失禁対策用パンツによれば、ストレスとならない肌触りの良好で通気性、通水性の良好な生地で製造できるので、そうすることにより、高齢者ばかりでなく、尿失禁で悩んでいる若年層にも都合良く快適に使用され得る。また、外出中に漏らしたとしても吸水パッドの取替えで着替えることなく手軽に対応でき、軽症の場合では、普通の生活に何ら支承がないまでに活動でき、服装に乱れなく清楚に着用できるから、介護用にばかりでなく、旅行やドライブ、スポーツ用やレジャー用にと開放的に外出を楽しむのに適するという優れた効果がある。
【００１１】
また、請求項２の場合であると、陰茎の第１出口が裏生地について設けられ、吸水パッドを出し入れするポケット口と兼ねている第２出口を通して、手間取ることなく普通の男性用パンツと同様に陰茎を出し入れしながら用便を難なく果たしうる。
【発明を実施するための最良の形態】
【００１２】
次に、この発明の実施形態を図面に基づいて説明する。
【００１３】
図１ないし図３は、男性用の尿失禁対策用パンツＰａとして実施したもので、男性特有の問題として陰茎（男根）を出し入れするために不都合のない特別の構造となっている。つまり、中央前身頃１の裏側に裏生地３が当てられることにより、使い捨ての吸水パッドＴが装填されるポケット４が下部に設けられているが、裏生地３と中央前身頃１との両方の障壁を不都合なくクリアして、用足し可能に陰茎が出されるよう配慮して構成される。
【００１４】
中央前身頃１は、普通の縫着形態であって、上端がゴムの腰締め１１と接続され、左右が両側身頃５，５および脚口６，６の縁取部１４，１４とそれぞれ接続され、また下端が後身頃９と接続される。
【００１５】
裏生地３は、中央前身頃１と二枚合わせになるようほゞ同じ縫着形態であるが、左右いずれか一側に陰茎の第１出口１５ａを設けるために出口１５ａとして切欠し一部が未逢着となっている。なお、この裏生地３は、上端を腰締め１１から下へ短くして中央前身頃１に縫着しても良い。この第１出口１５ａを開拡しやすくなすには、裏生地３を伸縮自在な編生地とすると良い。
【００１６】
中央前身頃１と裏生地３との二枚合わせの間の下端部がポケット４となっており、具体的には、後身頃９との縫着部１０を底として、脚口６，６の縁取部１４，１４との間がポケット４となっている。そして、中央前身頃１の高さ中間部に横に裂けるようにポケット口１２が形成される。このポケット口１２が陰茎の第２出口１５ｂでもある。
【００１７】
パンツの生地については、一般的なパンツと同様に、肌触りの良い純綿または綿とポリエステル等の混紡の生地が望ましいが、中央前身頃１については匂いが外に漏れ難いものが望ましく、その点で通気性や通水性に乏しい防水加工の生地であっても良い。また、裏生地３は、逆に通水性、通気性があって肌触りが良好であって、保水性がなく乾きやすい材質のものが適している。具体的には、傷まないように洗濯物を入れるために使用される洗濯ネットの生地が適している。例えばナイロン、ポリエステル繊維等の編地又は織布である。
【００１８】
吸水パッドＴは、吸水してそれを保持する材質のもので、これには例えば、綿や紙を多層に重ねた厚みのある吸水材１７が良い。街で通行人に配付されるようなテッシュペーパは、常時携帯するのに適し手軽で使用に好都合である。いずれにしても、防臭剤もしくは匂い吸着材を吸水材１７に混入してあると、尿の匂い消しとなり有効である。また、前面となる一面に（さらには周囲面に）尿（水）のバリア層１８（図３）を設けたときには、消臭効果を一層上げることも可能である。このバリア層１８は片面防水紙等を貼って構成することができる。
【００１９】
図４および図５は、婦人用とての実施形態を示したもので、陰茎が関係する男性用と比べると構造は簡単となるが、特に防臭には配慮し、中央前身頃１には、木炭の粉を練り込んだ繊維からなる生地を使用した。そのパンツの前身頃１に陰部当たりおよびその上方にかけて裏生地３を当て、その左右両端２０，２０と下端２２を縫着することにより、裏側にポケット口１２を有するポケット４が形成される。
【００２０】
裏生地３は、この場合も通水性、通気性があって肌触りが良好で保水性がなく乾きやすい材質のものが適している。また、中央前身頃１は、木炭粉が塗り込まれ防水加工が施された生地が使用されているので、前記したバイア層１０付きの吸水パッドＴ（図３）を使用すれば、上着を汚すおそれがなく、また、匂い漏れを確実に防止できる。
【００２１】
なお、男性用の場合も、用便にはやゝ手間取るが、上記図４および図５に記載したものと同様の構成としても良い。
【図面の簡単な説明】
【００２２】
【図１】この発明の一実施形態を示す男性用の尿失禁対策用パンツの一部切欠した正面図である。
【図２】図１のＡ−Ａ線矢視の断面図である。
【図３】吸水パッドの一実施形態を示す横断面図である。
【図４】この発明の他の実施形態を示す女性用の尿失禁対策用パンツを使用状態で示す斜視図である。
【図５】同尿失禁対策用パンツの要部縦断面図である。
【符号の説明】
【００２３】
Ｐａ、Ｐｂ  尿失禁対策用パンツ
Ｔ  使い捨ての吸水パッド
１  中央前身頃
３  裏生地
４  ポケット
１５ａ  陰茎の第１出口１５ａ
１５ｂ  陰茎の第２出口１５ｂ
１２  ポケット口
【図１】
2010029485.tif 000003
【図２】
2010029485.tif 000004
【図３】
2010029485.tif 000005
【図４】
2010029485.tif 000006
【図５】
2010029485.tif 000007